(57)【要約】【課題】写真の良好な構成を十分に促進することができるファインダを提供する。【解決手段】カメラ１０のファインダ１２では、第１のフロントファインダレンズ１４は、被写体背景領域を含んでいる被写体１８の画像を形成する。第２のフロントファインダレンズ２２は、第１のフロントファインダレンズ１４によって形成された被写体１８の画像に含まれる被写体背景領域より大きい被写体背景領域を含む被写体１８のもう１つの画像を形成する。リヤファインダレンズ４８は、第１及び第２のファインダレンズによって形成された被写体の画像を同時にみることを可能にする。かくして、リヤファインダレンズを通してみたときに、大きい被写体背景領域及び小さい被写体背景領域を含んでいる被写体の２元画像を同時にみることができる。ファインダ内の大きい被写体背景領域と小さい被写体背景領域の差をみれば、写真の構成に注意すべきことが警告される。【選択図】図１
2004038159.tif 000002
【特許請求の範囲】
【請求項１】
被写体の画像を形成するための第１のフロントファイ
ンダレンズと、
上記被写体のもう１つの画像を形成するための第２のフロントファインダレンズと、
上記第２のフロントファインダレンズに対して光学的に配列され、該第２のフロントファインダレンズによって形成された被写体の画像を反射させるための全反射鏡と、
上記全反射鏡に対して光学的に配列され該全反射鏡によって反射された被写体の画像を反射させるとともに、上記第１のフロントファインダレンズに対して光学的に配列され該第１のフロントファインダレンズによって形成された被写体の画像を遮断しない部分反射鏡と、
上記部分反射鏡に対して光学的に配列され、該部分反射鏡によって反射された被写体の画像をみるとともに、上記第１のフロントファインダレンズによって形成された被写体の画像をみるためのリヤファインダレンズとを備えていて、
上記リヤファインダレンズを通してみたときに、上記被写体の２元画像を同時にみることができるようになっている２元画像ファインダ。
【請求項２】
上記リヤファインダレンズを通してみたときに、各フレームの画像が、みている被写体の画像の上に重ね合わされるようになっている、請求項１に記載の２元画像ファインダ。
【請求項３】
上記第２のフロントファインダレンズは、上記第１のフロントファインダレンズよりも実質的に小さく、上記第１のフロントファインダレンズによって形成された被写体の画像よりも実質的に小さい被写体の画像を形成するようになっている、請求項１に記載の２元画像ファインダ。
【請求項４】
上記第２のフロントファインダレンズは、上記第１のフロントファインダレンズの視野より大きい視野を有し、
これにより、上記リヤファインダレンズを通してみたときに、上記部分反射鏡によって反射された被写体の画像が、上記第１のフロントファインダレンズによって形成された被写体の画像に含まれる背景領域よりも大きい背景領域を含むようになっている、請求項１に記載の２元画像ファインダ。
【発明の詳細な説明】
【技術分野】
【０００１】
本発明は、一般的には、カメラ用のファインダに関するものであり、とくには、撮影されるべき写真の良好な構成を促進するファインダに関するものである。
【背景技術】
【０００２】
写真を撮影するときには、カメラをどの方向に向けるべきかを知るだけでなく、被写体がどの程度写真に含まれるであろうかということを知ることも必要である。かかる理由により、全てのカメラは、何らかの種類のファインダを有している。
【考案の開示】
【発明が解決しようとする課題】
【０００３】
カメラのファインダ内の被写体の画像をみる場合、ファインダ内でみることができる被写体背景領域は、典型的には、撮影された写真中の背景領域よりも５〜１５％少ない。かくして、かかるファインダは、写真の良好な構成を促進する上で不十分なものであるといえる。
【課題を解決するための手段】
【０００４】
本発明の１つの態様にかかる２元画像ファインダ（ｄｕａｌｉｍａｇｅｖｉｅｗｆｉｎｄｅｒ）は、次の各部材を備えている。被写体背景領域（ｂａｃｋｇｒｏｕｎｄａｒｅａｏｆｓｕｂｊｅｃｔ）を含んでいる被写体の画像を形成するための第１のフロントファインダレンズ。第１のフロントファインダレンズによって形成された被写体の画像中に含まれている被写体背景領域よりも大きい被写体背景領域を含んでいる被写体のもう１つの画像を形成するための第２のフロントファインダレンズ。第１及び第２のフロントファインダレンズによって形成された被写体の画像を同時にみるためのリヤファインダレンズ。これにより、リヤファインダレンズを通してみたときに、被写体の大きい背景領域と小さい背景領域とを含んでいる被写体の２元画像を同時にみることができるようになっている。
【０００５】
本発明の１つの態様にかかるファインダ内の被写体の２元画像をみる方法は、次の各ステップを含んでいる。被写体背景領域を含んでいる被写体の第１の画像を形成するステップ。第１の画像中に含まれている被写体背景領域よりも大きい被写体背景領域を含んでいる被写体の第２の画像を形成するステップ。被写体の大きい背景領域と小さい背景領域とを含んでいる被写体の第１及び第２の画像を同時にみることを可能にする（ｐｅｒｍｉｔ）ステップ。
【０００６】
上記方法は、オプションとして、次のステップを含んでいてもよい。被写体の第２の画像上に第１フレームの画像を重ね合わせる（ｓｕｐｅｒｉｍｐｏｓｅ）ステップ。被写体の第１の画像上に第２フレームの画像を重ね合わせるステップ。これにより、被写体の第１の画像上に重ね合わされた第２フレームの画像と、被写体の第２の画像上に重ね合わされた第１フレームの画像とを同時にみることができるようになっている。
【発明の効果】
【０００７】
撮影者は、ファインダ内において、被写体の大きい背景領域と小さい背景領域との間の差異をみたときには、撮影されるべき写真の構成に注意を払うべきことが警告（ａｌｅｒｔ）される。
【発明を実施するための最良の形態】
【０００８】
（ファインダ）
図３は、２元画像ファインダ１２を備えたポイント・シュートカメラ１０（ｐｏｉｎｔ―ａｎｄ―ｓｈｏｏｔｃａｍｅｒａ：自動焦点・自動露出カメラ）を示している。２元画像ファインダ１２は、一般に「輝線（ｂｒｉｇｈｔ―ｌｉｎｅ）」ファインダと呼ばれているものである。
【０００９】
図１及び図２に示すように、２元画像ファインダ１２は、例えば数本の木などの被写体背景領域２０を含んでいる、例えば一列の人などといった被写体１８の第１の画像１６を形成するための第１のフロントファインダレンズ１４（対物レンズ）を有している。第１のフロントファインダレンズ１４は、好ましく矩形の凹レンズ（ｎｅｇａｔｉｖｅｌｅｎｓ）とされている。第２のフロントファインダレンズ２２（対物レンズ）は、例えば木などの被写体背景領域２６を含んでいる被写体１８の第２の画像２４を形成するために設けられている。第１及び第２のフロントファインダレンズ１４、２２は、小さい視野と大きい視野とを得るために、異なるアスペクト比（ａｓｐｅｃｔｒａｔｉｏ：縦横比）を有している。その結果、第２の画像２４中の背景領域２６は、第１の画像１６中の背景領域２０より多くの領域をカバーしている（すなわち、背景領域２０より大きい）。これは、図２中に示されている。第２のフロントファインダレンズ２２は、第１のフロントファインダレンズ１４と同様に、好ましく矩形の凹レンズとされている。また、第２のフロントファインダレンズ２２は、第１のフロントファインダレンズ１４より実質的に小さいものである。かくして、第２の画像２４は、第１の画像１６よりも実質的に小さいものとなる。
【００１０】
矩形のフロントウィンドウ２８（ｆｒｏｎｔｒｅｃｔａｎｇｕｌａｒｗｉｎｄｏｗ）は、第１のフロントファインダレンズ１４に接続され、かつ拡散（光散乱）スクリーン３０で覆われている。図１参照。矩形の第１輝線フレーム３２は、拡散スクリーン３０の後ろの不透明なマスクプレート（図示せず）に切り刻まれている。矩形のフロントウィンドウ３４（ｆｒｏｎｔｒｅｃｔａｎｇｕｌａｒｗｉｎｄｏｗ）は、第２のフロントファインダレンズ２２に接続され、第２のフロントファインダレンズ２２のところを除いて拡散（光散乱）スクリーン３６で覆われている。矩形の第２輝線フレーム３８は、拡散スクリーン３６の後ろの不透明なマスクプレート（図示せず）に切り刻まれ、これにより光がこの輝線フレームを通過できるようになっている。第１及び第２の輝線フレーム３２、３８は、各レンズ１４、２２のアスペクト比と対応する（符合する（ｍａｔｃｈ））異なるアスペクト比を有している。また、第２輝線フレーム３８は、第１輝線フレーム３２よりも実質的に大きいものである。
【００１１】
第２のフロントファインダレンズ２２によって形成された被写体背景領域２６を含んでいる被写体１８の画像２４を反射させるとともに、第２輝線フレーム３８の画像４２を反射させるために、全反射鏡４０（ｔｏｔａｌｒｅｆｌｅｃｔｉｏｎｍｉｒｒｏｒ）が、第２のフロントファインダレンズ２２及び第２輝線フレーム３８に対して、４５°の角度で光学的に配列されている。図１及び図２参照。全反射鏡４０によって反射された被写体１８及び第２輝線フレーム３８の画像２４、４２を反射させるために、部分反射鏡（ｐａｒｔｉａｌｒｅｆｌｅｃｔｉｏｎｍｉｒｒｏｒ）ないしはビームスプリッタ４４（ｂｅａｍｓｐｌｉｔｔｅｒ）が、全反射鏡４０と平行となるように光学的に配列されている。かつ、この部分反射鏡４４は、第１のフロントファインダレンズ１４と４５°の角度で光学的に配列され、第１のフロントファインダレンズ１４によって形成された被写体背景領域２０を含んでいる被写体１８の画像１６を遮断せず、かつ第１輝線フレーム３２の画像４６も遮断しないようになっている。
【００１２】
リヤファインダレンズ４８が、部分反射鏡４４、第１のフロントファインダレンズ１４及び第１輝線フレーム３２に対して光学的に配列されている。これは、リヤファインダレンズ４８と部分反射鏡４４と第１のフロントファインダレンズ１４とを通してみたときに、第１のフロントファインダレンズ１４によって形成された被写体背景領域２０を含んでいる被写体１８のバーチャル画像１６（ｖｉｒｔｕａｌｉｍａｇｅ：仮想画像）の上に重ね合わされた第２輝線フレーム３８の反射画像４２（ｒｅｆｌｅｃｔｅｄｉｍａｇｅ：反射された画像）をみることを可能にする。かつ、第２のフロントファインダレンズ２２によって形成された被写体背景領域２６を含んでいる被写体１８の反射画像２４の上に重ね合わされた第１輝線フレーム３２のバーチャル画像４６をみることを可能にする。図１及び図２参照。
【００１３】
（みる方法）
ファインダ１２内の被写体１８の２元画像をみる方法は、次の各ステップを含んでいる。被写体背景領域２０を含んでいる被写体１８の第１の画像１６を形成するステップ。第１の画像１６中に含まれている被写体背景領域２０よりも大きい被写体背景領域２６を含んでいる被写体１８の第２の画像２４を形成するステップ。大きい被写体背景領域２６と小さい被写体背景領域２０とを含んでいる被写体１８の第１の画像１６及び第２の画像２４を同時にみることを可能にするステップ。
【００１４】
上記方法は、オプションとして、次のステップを含んでいてもよい。被写体１８の第２の画像２４上に第１フレーム３２の画像４６を重ね合わせるステップ。被写体１８の第１の画像１６上に第２フレーム３８の画像４２を重ね合わせるステップ。これにより、被写体１８の第１の画像１６上に重ね合わされた第２フレーム３８の画像４２と、被写体１８の第２の画像２４上に重ね合わされた第１フレーム３２の画像４６とを同時にみることができるようになっている。
【００１５】
（本発明のその他の特徴）
ある２元画像ファインダは、次の部材を備えたものである。被写体の画像を形成するための第１のフロントファインダレンズ。該被写体のもう１つの画像を形成するための第２のフロントファインダレンズ。第２のフロントファインダレンズに関連して配列され、第２のフロントファインダレンズによって形成された画像を反射させるための鏡。フロントファインダレンズに関連して配列され第１のフロントファインダレンズによって形成された被写体の画像をみるとともに、鏡に関連して配列され第２のファインダレンズによって形成されるとともに鏡によって反射された被写体の画像をみるためのリヤファインダレンズ。これにより、リヤファインダレンズを通してみたときに、被写体の２元画像を同時にみることができるようになっている。
【００１６】
ある２元画像ファインダは、次の部材を備えたものである。被写体背景領域を含んでいる被写体の画像を形成するための第１のフロントファインダレンズ。第１のフロントファインダレンズによって形成された被写体の画像中に含まれている被写体背景領域よりも大きい被写体背景領域を含んでいる被写体のもう１つの画像を形成するための第２のフロントファインダレンズ。第１及び第２のファインダレンズによって形成された被写体の画像を同時にみるためのリヤファインダレンズ。これにより、リヤファインダレンズを通してみたときに、大きい被写体背景領域と小さい被写体背景領域とを含んでいる被写体の２元画像を同時にみることができるようになっている。
【００１７】
ある２元画像ファインダでは、小さい視野と大きい視野とを得るために、第１及び第２のファインダレンズが異なるアスペクト比を有している。
【００１８】
ある２元画像ファインダでは、第１及び第２のファインダレンズのアスペクト比に対応するアスペクト比を有するフレームの各画像が、リヤファインダレンズを通してみたときに、みている被写体の画像の上に重ね合わされるようになっている。
【００１９】
ある２元画像ファインダでは、第１及び第２のファインダレンズは、それぞれ、大きい矩形の凹レンズ及び小さい矩形の凹レンズとされている。
【００２０】
ある２元画像ファインダでは、第１輝線フレームを有するフロントウィンドウが第１のファインダレンズに接続される一方、第２輝線フレームを有するフロントウィンドウが第２のファインダレンズに接続され、リヤファインダレンズを通してみたときに、被写体の画像の上に第１及び第２の輝線フレームの各画像が重ね合わされるようになっている。
【００２１】
ある２元画像ファインダでは、各レンズの小さい視野と大きい視野とを得るために、第１及び第２のファインダレンズが異なるアスペクト比を有している。そして、第１及び第２の輝線フレームが、第１及び第２のファインダレンズのアスペクト比に対応するアスペクト比を有している。これにより、リヤファインダレンズを通してみたときに、被写体の画像の上に、第１及び第２の輝線フレームの各画像が重ね合わされるようになっている。
【００２２】
ある２元画像ファインダは、次の部材を備えたものである。被写体背景領域を含んでいる被写体の画像を形成するための第１の手段。第１の手段によって形成された被写体の画像中に含まれている被写体背景領域よりも大きい被写体背景領域を含んでいる被写体のもう１つの画像を形成するための第２の手段。第１及び第２の手段によって形成された被写体の画像を同時にみることを可能にする手段。これにより、大きい被写体背景領域と小さい被写体背景領域とを含んでいる被写体の２元画像を同時にみることができるようになっている。
【００２３】
ある２元画像ファインダは、次の部材を備えたものである。被写体のバーチャル画像上に第１フレームの反射画像を重ね合わせるための手段。被写体の反射画像上に第２フレームのバーチャル画像を重ね合わせるための手段。被写体のバーチャル画像上に重ね合わされた第１フレームの反射画像と、被写体の反射画像上に重ね合わされた第２フレームのバーチャル画像とを同時にみるための手段。
【００２４】
ある２元画像ファインダでは、第１フレームの反射画像と、被写体のバーチャル画像とが、同様の（ｓｉｍｉｌａｒ）アスペクト比を有している。そして第２フレームのバーチャル画像と、被写体の反射画像とが、第１フレームの反射画像及び被写体のバーチャル画像のアスペクト比とは異なる同様のアスペクト比を有している。
【００２５】
ある２元画像ファインダでは、第１フレームの反射画像及び被写体のバーチャル画像は、第２フレームのバーチャル画像及び被写体の反射画像よりも大きい。
【００２６】
あるファインダ内の被写体の２元画像をみる方法は、次のステップを含んでいる。被写体背景領域を含んでいる被写体の第１の画像を形成するステップ。被写体の第１の画像中に含まれている被写体背景領域よりも大きい被写体背景領域を含んでいる被写体の第２の画像を形成するステップ。大きい被写体背景領域と小さい被写体背景領域とを含んでいる被写体の第１及び第２の画像を同時にみることを可能にするステップ。
【００２７】
あるファインダ内の被写体の２元画像をみる方法は、次のステップを含んでいる。被写体の反射された画像上に第１フレームのバーチャル画像を重ね合わせるステップ。被写体のバーチャル画像上に第２フレームの反射画像を重ね合わせるステップ。被写体のバーチャル画像上に重ね合わされた第２フレームの反射画像と、被写体の反射画像上に重ね合わされた第１フレームのバーチャル画像とを同時にみることを可能にするステップ。
【図面の簡単な説明】
【００２８】
【図１】本発明の好ましい実施の形態にかかる２元画像ファインダの斜視図である。
【図２】２元画像ファインダのリヤファインダレンズを通してみたときに同時にみることができる、被写体の大きい背景領域と小さい背景領域とを含んでいる、被写体の２元画像の立面図である。
【図３】２元画像ファインダを備えたカメラの後面立面図である。
【符号の説明】
【００２９】
１０　カメラ、　１２　２元画像ファインダ、　１４　第１のフロントファインダレンズ、　１６　小さい被写体背景領域を含んでいる被写体のバーチャル画像、　１８　被写体、　２０　小さい被写体背景領域、　２２　第２のフロントファインダレンズ、　２４　大きい被写体背景領域を含んでいる被写体の反射画像、　２６　大きい被写体背景領域、　２８　フロントウィンドウ、　３０　拡散スクリーン、　３２　第１輝線フレーム、　３４　フロントウィンドウ、　３６　拡散スクリーン、　３８　第２輝線フレーム、　４０　全反射鏡、　４２　第２輝線フレームの反射された画像、　４４　部分反射鏡、　４６　第１輝線フレームのバーチャル画像、　４８　リヤファインダレンズ。
【図１】
2004038159.tif 000003
【図２】
2004038159.tif 000004
【図３】
2004038159.tif 000005
【外国語明細書】
2004038159.tif 000006
2004038159.tif 000007
2004038159.tif 000008
2004038159.tif 000009
2004038159.tif 000010
2004038159.tif 000011
2004038159.tif 000012
2004038159.tif 000013
2004038159.tif 000014
2004038159.tif 000015
2004038159.tif 000016
2004038159.tif 000017
2004038159.tif 000018